(57)【要約】【課題】携帯端末における文字入力の快適性を向上できる辞書データ配信装置及び辞書データ配信方法を提供する。【解決手段】辞書データ配信装置１では、電子メールの文章に含まれる絵文字と当該絵文字の直前部分に用いられている文字列とを抽出し、絵文字の直前部分に用いられている文字列の使用頻度を絵文字ごとに積算して生成された辞書データを携帯端末１０に送信している。この辞書データを予測変換候補に用いることにより、携帯端末１０においてユーザが様々な文字列を入力したときに当該文字列に対して最適な絵文字の候補が提示されることとなり、文字入力の快適性を向上できる。また、辞書データ配信装置１では、携帯端末１０，１０間で送受信される電子メールの文章から絵文字と文字列とを抽出しているので、入力した文字列に対してユーザ間でよく用いられている絵文字を候補として提示できる。【選択図】図１
2011209914.tif 000002
【特許請求の範囲】
【請求項１】
文字入力の際の予測変換候補に用いる辞書データを携帯端末に配信する辞書データ配信装置であって、
前記携帯端末間で送受信される電子メールを受信する電子メール受信手段と、
前記電子メール受信手段が受信した前記電子メールに含まれる文章を解析し、前記文章に含まれる絵文字と当該絵文字の直前部分に用いられている文字列とを抽出する文字抽出手段と、
前記文字抽出手段による抽出結果に基づいて、絵文字の直前部分に用いられている文字列の使用頻度を絵文字ごとに積算してなる辞書データを生成する辞書データ生成手段と、
前記辞書データ生成手段によって生成された辞書データを前記携帯端末に送信する辞書データ送信手段と、を備えたことを特徴とする辞書データ配信装置。
【請求項２】
前記辞書データ送信手段は、前記辞書データを定期的に前記携帯端末に送信することを特徴とする請求項１記載の辞書データ配信装置。
【請求項３】
前記携帯端末から前記辞書データの送信を要求する旨の送信要求情報を受信する要求受信手段を更に有し、
前記辞書データ送信手段は、前記要求受信手段が前記送信要求情報を受信した場合に、前記辞書データを前記携帯端末に送信することを特徴とする請求項１記載の辞書データ配信装置。
【請求項４】
前記携帯端末から前記辞書データの送信を要求する旨の送信要求情報を受信する要求受信手段を更に有し、
前記辞書データ送信手段は、前記辞書データのうち、使用頻度が所定順位以上である絵文字及び文字列からなる上位データを定期的に前記携帯端末に送信し、
前記要求受信手段が前記送信要求情報を受信した場合に、前記辞書データのうち、使用頻度が所定順位未満である絵文字及び文字列からなる下位データを前記携帯端末に送信することを特徴とする請求項１記載の辞書データ配信装置。
【請求項５】
文字入力の際の予測変換候補に用いる辞書データを携帯端末に配信する辞書データ配信方法であって、
電子メール受信手段が、前記携帯端末間で送受信される電子メールを受信する電子メール受信ステップと、
文字抽出手段が、前記電子メール受信手段が受信した前記電子メールに含まれる文章を解析し、前記文章に含まれる絵文字と当該絵文字の直前部分に用いられている文字列とを抽出する文字列抽出ステップと、
辞書データ生成手段が、前記文字抽出手段による抽出結果に基づいて、絵文字の直前部分に用いられている文字列の使用頻度を絵文字ごとに積算してなる辞書データを生成する辞書データ生成ステップと、
辞書データ送信手段が、前記辞書データ生成手段によって生成された辞書データを前記携帯端末に送信する辞書データ送信ステップと、を備えたことを特徴とする辞書データ配信方法。
【請求項６】
前記辞書データ送信ステップにおいて、前記辞書データ送信手段は、前記辞書データを定期的に前記携帯端末に送信することを特徴とする請求項５記載の辞書データ配信方法。
【請求項７】
要求受信手段が、前記携帯端末から前記辞書データの送信を要求する旨の送信要求情報を受信する要求受信ステップを更に有し、
前記辞書データ送信ステップにおいて、前記辞書データ送信手段は、前記要求受信手段が前記送信要求情報を受信した場合に、前記辞書データを前記携帯端末に送信することを特徴とする請求項５記載の辞書データ配信方法。
【請求項８】
要求受信手段が、前記携帯端末から前記辞書データの送信を要求する旨の送信要求情報を受信する要求受信ステップを更に有し、
前記辞書データ送信ステップにおいて、前記辞書データ送信手段は、前記辞書データのうち、使用頻度が所定順位以上である絵文字及び文字列からなる上位データを定期的に前記携帯端末に送信し、前記要求受信手段が前記送信要求情報を受信した場合に、前記辞書データのうち、使用頻度が所定順位未満である絵文字及び文字列からなる下位データを前記携帯端末に送信することを特徴とする請求項５記載の辞書データ配信方法。
【発明の詳細な説明】
【技術分野】
【０００１】
本発明は、文字入力の際の予測変換候補に用いる辞書データを携帯端末に配信する辞書データ配信装置及び辞書データ配信方法に関する。
【背景技術】
【０００２】
文字入力の際の予測変換候補に用いる辞書データに関する技術として、例えば特許文献１に記載の文字入力装置がある。この従来の文字入力装置では、予め設定された文字配列が表示された場合に、その文字配列に続く文末文字候補を表示することにより、文字入力の効率化を図っている。また、例えば特許文献１に記載の辞書データ管理装置では、ネットワーク上で管理された辞書データを複数のユーザで共有し、ユーザ間で辞書データの編集及び参照ができるようになっている。
【先行技術文献】
【特許文献】
【０００３】
【特許文献１】特開２００６−３３１０６６号公報
【特許文献２】特開２０００−１６３４２０号公報
【発明の概要】
【発明が解決しようとする課題】
【０００４】
ところで、携帯電話機に代表される携帯端末間でやり取りされる電子メールでは、絵文字が使用されることがある。絵文字は、通常の文字とは異なり、文章を作成するユーザの意図によって様々な単語と組み合わせられて使用されることが多いという特徴がある。そのため、上述した特許文献１のように文末文字候補の一つとして絵文字を用意するだけでは、文字入力の快適性を向上させるには十分でないと考えられる。
【０００５】
本発明は、上記課題の解決のためになされたものであり、携帯端末における文字入力の快適性を向上できる辞書データ配信装置及び辞書データ配信方法を提供することを目的とする。
【課題を解決するための手段】
【０００６】
上記課題の解決のため、本発明に係る辞書データ配信装置は、文字入力の際の予測変換候補に用いる辞書データを携帯端末に配信する辞書データ配信装置であって、携帯端末間で送受信される電子メールを受信する電子メール受信手段と、電子メール受信手段が受信した電子メールに含まれる文章を解析し、文章に含まれる絵文字と当該絵文字の直前部分に用いられている文字列とを抽出する文字抽出手段と、文字抽出手段による抽出結果に基づいて、絵文字の直前部分に用いられている文字列の使用頻度を絵文字ごとに積算してなる辞書データを生成する辞書データ生成手段と、辞書データ生成手段によって生成された辞書データを携帯端末に送信する辞書データ送信手段と、を備えたことを特徴としている。
【０００７】
この辞書データ配信装置では、電子メールの文章に含まれる絵文字と当該絵文字の直前部分に用いられている文字列とを抽出し、絵文字の直前部分に用いられている文字列の使用頻度を絵文字ごとに積算して生成された辞書データを携帯端末に送信している。この辞書データを文字入力の際の予測変換候補に用いることにより、携帯端末においてユーザが様々な文字列を入力したときに当該文字列に対して最適な絵文字の候補が提示されることとなり、文字入力の快適性を向上できる。また、この辞書データ配信装置では、携帯端末間で送受信される電子メールの文章から絵文字と文字列とを抽出しているので、入力した文字列に対してユーザ間でよく用いられている絵文字を候補として提示することができる。
【０００８】
また、辞書データ送信手段は、辞書データを定期的に携帯端末に送信することが好ましい。この場合、携帯端末側には予め辞書データが送信されているので、携帯端末側で文字入力をする際に辞書データ配信装置と携帯端末との間で情報のやり取りをする必要がなくなり、予測変換候補の表示処理速度を確保できる。
【０００９】
また、携帯端末から辞書データの送信を要求する旨の送信要求情報を受信する要求受信手段を更に有し、辞書データ送信手段は、要求受信手段が送信要求情報を受信した場合に、辞書データを携帯端末に送信することが好ましい。この場合、携帯端末側で文字入力をする際に最新の辞書データが携帯端末に送信されるので、より最適な絵文字の候補の提示が可能となる。
【００１０】
また、携帯端末から辞書データの送信を要求する旨の送信要求情報を受信する要求受信手段を更に有し、辞書データ送信手段は、辞書データのうち、使用頻度が所定順位以上である絵文字及び文字列からなる上位データを定期的に携帯端末に送信し、要求受信手段が送信要求情報を受信した場合に、辞書データのうち、使用頻度が所定順位未満である絵文字及び文字列からなる下位データを携帯端末に送信することが好ましい。この場合、携帯端末側には予め上位データが送信されているので、予測変換候補の表示処理速度を確保できる。また、送信要求があった場合に限って携帯端末に下位データを送信するので、予測変換候補の表示処理速度を確保しつつ、多様な絵文字の候補の提示が可能となる。
【００１１】
また、本発明に係る辞書データ配信方法は、文字入力の際の予測変換候補に用いる辞書データを携帯端末に配信する辞書データ配信方法であって、電子メール受信手段が、携帯端末間で送受信される電子メールを受信する電子メール受信ステップと、文字抽出手段が、電子メール受信手段が受信した電子メールに含まれる文章を解析し、文章に含まれる絵文字と当該絵文字の直前部分に用いられている文字列とを抽出する文字列抽出ステップと、辞書データ生成手段が、文字抽出手段による抽出結果に基づいて、絵文字の直前部分に用いられている文字列の使用頻度を絵文字ごとに積算してなる辞書データを生成する辞書データ生成ステップと、辞書データ送信手段が、辞書データ生成手段によって生成された辞書データを携帯端末に送信する辞書データ送信ステップと、を備えたことを特徴としている。
【００１２】
この辞書データ配信方法では、電子メールの文章に含まれる絵文字と当該絵文字の直前部分に用いられている文字列とを抽出し、絵文字の直前部分に用いられている文字列の使用頻度を絵文字ごとに積算して生成された辞書データを携帯端末に送信している。この辞書データを文字入力の際の予測変換候補に用いることにより、携帯端末においてユーザが様々な文字列を入力したときに当該文字列に対して最適な絵文字の候補が提示されることとなり、文字入力の快適性を向上できる。また、この辞書データ配信方法では、携帯端末間で送受信される電子メールの文章から絵文字と文字列とを抽出しているので、入力した文字列に対してユーザ間でよく用いられている絵文字を候補として提示することができる。
【００１３】
また、辞書データ送信ステップにおいて、辞書データ送信手段は、辞書データを定期的に携帯端末に送信することが好ましい。この場合、携帯端末側には予め辞書データが送信されているので、携帯端末側で文字入力をする際に辞書データ配信装置と携帯端末との間で情報のやり取りをする必要がなくなり、予測変換候補の表示処理速度を確保できる。
【００１４】
また、要求受信手段が、携帯端末から辞書データの送信を要求する旨の送信要求情報を受信する要求受信ステップを更に有し、辞書データ送信ステップにおいて、辞書データ送信手段は、要求受信手段が送信要求情報を受信した場合に、辞書データを携帯端末に送信することが好ましい。この場合、携帯端末側で文字入力をする際に最新の辞書データが携帯端末に送信されるので、より最適な絵文字の候補の提示が可能となる。
【００１５】
また、要求受信手段が、携帯端末から辞書データの送信を要求する旨の送信要求情報を受信する要求受信ステップを更に有し、辞書データ送信ステップにおいて、辞書データ送信手段は、辞書データのうち、使用頻度が所定順位以上である絵文字及び文字列からなる上位データを定期的に携帯端末に送信し、要求受信手段が送信要求情報を受信した場合に、辞書データのうち、使用頻度が所定順位未満である絵文字及び文字列からなる下位データを携帯端末に送信することが好ましい。この場合、携帯端末側には予め上位データが送信されているので、予測変換候補の表示処理速度を確保できる。また、送信要求があった場合に限って携帯端末に下位データを送信するので、予測変換候補の表示処理速度を確保しつつ、多様な絵文字の候補の提示が可能となる。
【発明の効果】
【００１６】
本発明に係る辞書データ配信装置及び辞書データ配信方法によれば、携帯端末における文字入力の快適性を向上できる。
【図面の簡単な説明】
【００１７】
【図１】本発明の一実施形態に係る辞書データ配信装置の構成を示す図である。
【図２】電子メールの一例を示す図である。
【図３】辞書データ格納部に格納される辞書データの一例を示す図である。
【図４】携帯端末における電子メール作成画面の一例を示す図である。
【図５】図１に示した辞書データ配信装置の動作を示すフローチャートである。
【発明を実施するための形態】
【００１８】
以下、図面を参照しながら、本発明に係る辞書データ配信装置及び辞書データ配信方法の好適な実施形態について詳細に説明する。
【００１９】
図１は、本発明の一実施形態に係る辞書データ配信装置の構成を示す図である。辞書データ配信装置１は、文字入力の際の予測変換候補に用いる辞書データを携帯端末１０に配信する装置として構成され、図１に示すように、ネットワークＮを介して複数の携帯端末１０（１０Ａ，１０Ｂ，１０Ｃ…）と接続されている。
【００２０】
辞書データ配信装置１は、物理的には、ＣＰＵ、メモリ、通信インターフェイス、ハードディスクといった格納部、ディスプレイといった表示部などを備えたコンピュータシステムであり、例えば携帯端末１０による通信サービスを提供する通信事業者によって管理されている。この辞書データ配信装置１は、機能的な構成要素として、電子メール受信部１０１と、文字抽出部１０２と、辞書データ生成部１０３と、辞書データ格納部１０４と、辞書データ送信部１０５と、送信要求情報受信部１０６とを備えている。
【００２１】
電子メール受信部１０１は、携帯端末１０，１０間で送受信される電子メールを受信する部分である。電子メール受信部１０１は、ネットワークＮ上のメールサーバ（不図示）が受信した電子メールを複製し、元の電子メールを本来の送信先である携帯端末１０に送信すると共に、複製した電子メールを文字抽出部１０２に出力する。電子メール受信部１０１が受信する電子メールは、携帯端末１０，１０間で送受信される全ての電子メールであってもよいし、無作為に抽出された電子メールであってもよい。
【００２２】
文字抽出部１０２は、電子メール受信部１０１が受信した電子メールに含まれる文章を解析し、当該文章に含まれる所定の文字を抽出する部分である。より具体的には、文字抽出部１０２は、電子メール受信部１０１から電子メールを受け取ると、電子メールの文章に含まれる絵文字と当該絵文字の直前部分に用いられている文字列とを関連付けた状態で抽出する。
【００２３】
図２は、電子メールの一例を示す図である。抽出された絵文字の絵柄とその直前部分の文字列との組み合わせを「絵文字（絵柄）／文字列」として表すと、同図に示す例では、「絵文字（太陽）／元気？」、「絵文字（ハンバーガー）／ごはん」、「絵文字（太陽）／またね」の３通りの組み合わせが抽出される。文字抽出部１０２は、抽出した絵文字及び文字列を辞書データ生成部１０３に出力する。なお、図２の例では電子メールの本文中から文字の抽出を行っているが、題名などの項目で用いられている文章を文字抽出の対象に含めてもよい。
【００２４】
辞書データ生成部１０３は、文字抽出部１０２による抽出結果に基づいて、辞書データを生成する部分である。辞書データ生成部１０３は、文字抽出部１０２から電子メールの文章に含まれる絵文字と当該絵文字の直前部分に用いられている文字列とを受け取ると、その文字列の使用頻度を絵文字ごとに積算して辞書データを生成・更新し、辞書データ格納部１０４に格納する。
【００２５】
辞書データ格納部１０４は、辞書データ生成部１０３によって生成された辞書データが格納される部分である。図３は、辞書データ格納部１０４に格納される辞書データの一例を示す図である。同図に示す例では、絵文字と、絵文字の直前部分に用いられた文字列と、当該文字列の使用頻度とが辞書データに含まれている。
【００２６】
例えば、「絵文字（太陽）」には、絵文字の直前部分に用いられた文字列として「元気」「またね」等が関連付けられており、「元気」の使用頻度が「１０」、「またね」の使用頻度が「２」等となっている。また、「絵文字（ハンバーガー）」には、絵文字の直前部分に用いられた文字列として「ごはん」「ハンバーガー」等が関連付けられており、「ごはん」の使用頻度が「８」、「ハンバーガー」の使用頻度が「３」等となっている。また、絵文字は、文章を作成するユーザの意図によって様々な単語と組み合わせられて使用される。したがって、同じ「ごはん」という文字列に対しても異なる絵文字が使用されることも当然生じ得る。図３では、「絵文字（どんぶり）」に対して「絵文字（ハンバーガー）」と同様に「ごはん」が関連付けられており、その使用頻度は「２」となっている。
【００２７】
辞書データ送信部１０５は、携帯端末１０に辞書データを送信する部分である。より具体的には、辞書データ送信部１０５は、辞書データ格納部１０４に格納されている辞書データのうち、使用頻度が所定順位以上である絵文字及び文字列からなる上位データを定期的に読み出し、携帯端末１０に送信する。また、辞書データ送信部１０５は、送信要求情報受信部１０６から辞書データの送信を指示する旨の指示情報を受け取った場合に限り、辞書データ格納部１０４に格納されている辞書データのうち、使用頻度が所定順位未満である絵文字及び文字列からなる下位データを読み出し、携帯端末１０に送信する。なお、ここでいう使用頻度の順位は、辞書データに含まれる全ての絵文字を対象とした総合順位であってもよく、絵文字ごとの個別の順位であってもよい。
【００２８】
送信要求情報受信部１０６は、携帯端末１０から辞書データの送信を要求する旨の送信要求情報を受信する部分である。送信要求情報受信部１０６は、送信要求情報を受信すると、辞書データの送信を指示する旨の指示情報を辞書データ送信部１０５に出力する。
【００２９】
一方、辞書データの配信先である携帯端末１０は、物理的には、例えばＣＰＵ（中央処理装置）、メモリ、通信インターフェイス、ハードディスクなどを備えた携帯電話機である。辞書データを受信した携帯端末１０では、例えば電子メール作成画面において文字を入力した場合に、入力された文字に続く予測変換候補が表示される。
【００３０】
図４は、携帯端末における電子メール作成画面の一例を示す図である。同図に示す例では、メールの本文に「ごはん」という文字を入力した場合に、画面下部に変換候補画面が現れるようになっている。変換候補画面の左側には、「ごはん」という文字に続く文字列の候補として「食べる？」「作る？」などが順番に表示されており、変換候補画面の右側には、「ごはん」という文字に続く絵文字の候補として「絵文字（ハンバーガー）」「絵文字（どんぶり）」などが順番に表示されている。
【００３１】
ユーザが更に下位の絵文字の候補を検索するための操作を行った場合、辞書データの送信を要求する旨の送信要求情報が携帯端末１０から辞書データ配信装置１に送信される。そして、これに応じて辞書データ配信装置１から携帯端末１０に送信される下位データに基づいて、更に下位の絵文字の候補が変換候補画面に表示される。
【００３２】
続いて、上述した構成を有する辞書データ配信装置１の動作について説明する。
【００３３】
図５は、辞書データ配信装置の動作を示すフローチャートである。図５に示すように、辞書データ配信装置１では、携帯端末１０，１０間で送受信される電子メールの受信がなされる（ステップＳ０１）。次に、受信した電子メールに基づいて、当該電子メールの文章に含まれる絵文字と当該絵文字の直前部分に用いられている文字列とが抽出される（ステップＳ０２）。絵文字及び文字列の抽出がなされた後、文字列の使用頻度を絵文字ごとに積算して辞書データが生成・更新され（ステップＳ０３）、携帯端末１０に送信される（ステップＳ０４）。
【００３４】
ステップＳ０４では、生成された辞書データのうち、使用頻度が所定順位以上である絵文字及び文字列からなる上位データが定期的に読み出され、携帯端末１０に送信される。また、生成された辞書データのうち、使用頻度が所定順位未満である絵文字及び文字列からなる下位データについては、携帯端末１０側から送信要求情報を受信した場合に限り、携帯端末１０に送信される。
【００３５】
以上説明したように、辞書データ配信装置１では、電子メールの文章に含まれる絵文字と当該絵文字の直前部分に用いられている文字列とを抽出し、絵文字の直前部分に用いられている文字列の使用頻度を絵文字ごとに積算して生成された辞書データを携帯端末１０に送信している。この辞書データを文字入力の際の予測変換候補に用いることにより、携帯端末１０においてユーザが様々な文字列を入力したときに当該文字列に対して最適な絵文字の候補が提示されることとなり、文字入力の快適性を向上できる。また、辞書データ配信装置１では、携帯端末１０，１０間で送受信される電子メールの文章から絵文字と文字列とを抽出しているので、入力した文字列に対してユーザ間でよく用いられている絵文字を候補として提示することができる。
【００３６】
また、辞書データ配信装置１では、辞書データのうち、使用頻度が所定順位以上である絵文字及び文字列からなる上位データを定期的に携帯端末１０に送信し、携帯端末１０側から送信要求情報を受信した場合に、辞書データのうち、使用頻度が所定順位未満である絵文字及び文字列からなる下位データを携帯端末１０に送信している。このような辞書データの送信手法によれば、携帯端末１０側には予め上位データが送信されているので、予測変換候補の表示処理速度を確保できる。また、送信要求があった場合に限って携帯端末１０に下位データを送信するので、予測変換候補の表示処理速度を確保しつつ、多様な絵文字の候補の提示が可能となる。
【００３７】
本発明は、上記実施形態に限られるものではない。例えば上述した実施形態では、携帯端末１０に辞書データを送信するにあたって、上位データと下位データとで送信のタイミングが異なっているが、辞書データのデータ量にかかわらず、辞書データ全体を定期的に辞書データ送信部１０５から携帯端末１０に送信するようにしてもよい。また、辞書データの定期的な送信は行わず、辞書データの送信を要求する旨の送信要求情報を携帯端末１０から受信したときに辞書データ全体を辞書データ送信部１０５から携帯端末１０に送信するようにしてもよい。
【符号の説明】
【００３８】
１…辞書データ配信装置、１０…携帯端末、１０１…電子メール受信部（電子メール受信手段）、１０２…文字抽出部（文字抽出手段）、１０３…辞書データ生成部（辞書データ生成手段）、１０５…辞書データ送信部（辞書データ送信手段）、１０６…送信要求情報受信部（要求受信手段）。
【図１】
2011209914.tif 000003
【図２】
2011209914.tif 000004
【図３】
2011209914.tif 000005
【図４】
2011209914.tif 000006
【図５】
2011209914.tif 000007